(57)【特許請求の範囲】
【請求項１】
スチーム発生装置２１を内蔵したブラシ台部３と、弾性材料からなるブラシベース５と、ブラシベース５に植設したブリッスル４とを備えたスチームヘアーブラシにおいて、
ブラシベース５はこれのほぼ中央部にスチーム吐出孔６を有し、かつ該スチーム吐出孔６の近傍箇所から係止突起４７が一体に垂設されており、
ブラシベース５はブラシ台部３の外表面上に空間Ｓをおいて対向配備されているとともに、ブラシベース５の周縁部がブラシ台部３の外表面上に重合固定されており、
ブラシ台部３には、ブラシベース５の中央領域に臨む箇所に開口３９が設けられており、
前記空間Ｓ内において、ブラシ台部３の前記開口３９の外表面上には、スチーム発生装置２１で発生したスチームを前記スチーム吐出孔６に導くスチームガイド体４１が固定されており、
スチームガイド体４１は、その上壁４１ａから前記スチーム吐出孔６に内嵌するスチーム吐出口４２が上向きに突設されており、
スチームガイド体４１の上壁４１ａのスチーム吐出口４２の近傍部でブラシベース５のほぼ中央部内面を受け止め支持しており、
ブラシベース５の係止突起４７はスチームガイド体４１のスチーム吐出口４２の近傍に設けた孔４８に抜け止め状に挿入結合してなることを特徴とするスチームヘアーブラシ。
【発明の詳細な説明】
【０００１】
【産業上の利用分野】
本発明はスチーム発生装置で発生したスチームをブラシ台部から吐き出すスチームヘアーブラシに関する。
【０００２】
【従来の技術】
この種のスチームヘアーブラシは頭髪を軟化してくせ直しをしたり、頭髪をいたわりながらブラッシングするときに使用される。このスチームヘアーブラシとしては、例えば、柄部の先端に中空状のブラシ台部を設け、ブラシ台部の内部にスチーム発生装置を設け、スチーム発生装置で発生したスチームをブラシ台部それ自体のブリッスルどうし間に穿設したスチーム吐出孔から吐き出すようにしたものがある（例えば、特公昭６２−４０００４号公報参照）。
また、円筒状のブラシ台部の外周にブリッスルを有する円筒状のブラシベースを密着重合させてなり、スチームをブラシ台部およびブラシベースにそれぞれ設けたスチーム吐出孔から吐き出すようにしたものもある（実開昭５５−１２１３０１号公報参照）。
【０００３】
【発明が解決しようとする課題】
しかるに、前出した従来例のものではブラッシング時にブリッスルはそれ自体が持つ弾性のみで頭髪から受ける外力でもってたわむのみであるため、髪を解きにくくするばかりか、髪を傷めたり、頭皮に痛感を与えやすい。また、スチームはブラシ台またはブラシベースに直接通すものとなっているため、それらブラシ台またはブラシベースの熱劣化、吸水、吸湿劣化を起こしやすかった。
【０００４】
本発明の目的は、こうしたスチームヘアーブラシにおいて髪をいたわりながらスムーズにブラッシングすることができ、しかもブラシ台やブラシベースのスチームによる熱劣化、吸水、吸湿劣化を防止して耐久性の向上を図る点にある。
本発明の他の目的は、ブラシベースの支持構造の簡素化を図る点にある。
本発明の更に他の目的は、ブラシベースの浮き上がりを防止する点にある。
【０００５】
【課題を解決するための手段】
本発明は、図示例のように、スチーム発生装置２１を内蔵したブラシ台部３と、弾性材料からなるブラシベース５と、ブラシベース５に植設したブリッスル４とを備えたスチームヘアーブラシを前提とする。
そのうえで、本発明は、ブラシベース５がこれのほぼ中央部にスチーム吐出孔６を有し、かつ該スチーム吐出孔６の近傍箇所から係止突起４７を一体に垂設していること、
ブラシベース５がブラシ台部３の外表面上に空間Ｓをおいて対向配備されるとともに、ブラシベース５の周縁部をブラシ台部３の外表面上に重合固定していること、
前記空間Ｓ内において、ブラシ台部３の外表面上に、スチーム発生装置２１で発生したスチームを前記スチーム吐出孔６に導くスチーム吐出口４２を上向きに突設したスチームガイド体４１を固定されていること、
スチームガイド体４１がスチーム吐出口４２を前記スチーム吐出孔６に内嵌させるとともに、スチーム吐出口４２の近傍部でブラシベース５のほぼ中央部内面を受け止め支持していること、
ブラシベース５の係止突起４７はスチームガイド体４１のスチーム吐出口４２の近傍に設けた孔４８に抜け止め状に挿入結合してなることを特徴とする。
【０００６】
【作用】
ブラッシング時にブリッスル４は頭髪から受ける外力でもって傾くが、このときブラシベース５これ自体も弾性変形するので、髪をいたわりながらスムーズにブラッシングすることができる。
スチームはブラシ台部３およびブラシベース５とは別体のスチームガイド体４１内を通すので、ブラシ台部３やブラシベース５のスチームによる熱劣化を防ぐことになる。
ブラシベース５はこれの周縁部がブラシ台部３に重合固定されていることに加え、そのほぼ中央部内面がスチームガイド体４１で支持されているので、ブラッシング時にブラシベース５に平面方向に力が加わっても該ブラシベース５はずれ等が生じるようなことがなく、また該ブラシベース５の過剰なへこみもスチームガイド体４１に支持されて防止することができる。
ブラシベース５のほぼ中央部はスチームガイド体４１に係止突起４７を介して結合されているので、ブラッシング時にスチームガイド体４１から浮き上がるようなことがない。
【０００７】
【実施例】
本発明に係るスチームヘアーブラシの一実施例を図面に基づき説明する。
図２および図３において、このヘアーブラシはプラスチック製の上下の分割ケース１ａ・１ｂを突き合わせてなる本体ケース１に細長い中空状の柄部２と、該柄部２の先端に一体に連設した中空状のブラシ台部３とを形成している。ブラシ台部３の外周面上半部にはブリッスル４を備えたブラシベース５を取付ける。
ブラシベース５は耐熱性、耐候性、撥水性に優れるシリコンゴム等の弾性材料からなり、図６に示すように、そのほぼ中央部にスチーム吐出孔６を数個（図示例では４個）を設け、スチーム吐出孔６の周辺に多数の孔７を前後左右に所定ピッチで列設し、図１に示すように各孔７に別体にプラスチック成形されたブリッスル４の基部に設けた上下の鍔１０・１１間のくびれ部４ａを通すことによりブリッスル４が前後左右に定ピッチで上下方向に抜け止め状に植設されている。
【０００８】
図１および図４において、このブラシベース５は断面円弧状に曲げてブラシ台部３のほぼ平坦な外表面上に空間Ｓを形成するよう張設するとともに、その周縁部をブラシ台部３の外表面上に環状のブラシ押え部材１２で押し付けて重合固定する。図６に示すように、ブラシベース５の周縁部はその全周にわたって小さい孔１３を有し、この孔１３にブラシ押え部材１２の内面に設けた爪１４を挿入係合させる。
ブラシ押え部材１２は係合爪１５およびねじボス１６を有し、この係合爪１５をブラシ台部３の孔１７に抜止め状に差し込み係合するとともに、ねじボス１６にブラシ台部３の孔１８からねじ１９をねじ込むことによりブラシ台部３にブラシ押え部材１２がブラシベース５を押さえ状態に一体的に結合される（図４参照）。
【０００９】
一方、ブラシ台部３の内部にはスチーム発生装置２１を組み込む。スチーム発生装置２１は、図１および図４に示すように、ブラシ台部３の先端に抜き差し自在に装着する給水タンク２２と、ヒータ２３と、給水タンク２２内の水をヒータ２３側へ供給する吸水体２４とからなる。ヒータ２３は、アルミダイキャストや銅、真鍮などの熱伝導性に優れる材料からなるヒータケース２５内にヒータエレメント２６を封入してなる。ヒータエレメント２６はヒータボビン２６ａにヒータ線２６ｂを巻付けてなり、この周りに絶縁体２７を充填し、シリコン接着剤２８でエンドシールしてなる。ヒータエレメント２６としては、その他に、例えば正特性サーミスタを用いることもできる。
【００１０】
ヒータ２３はブラシ台部３の内部にビス２９で取付ける筒状のヒータホルダ３０の内部に配され、底部をシリコン接着剤等により防水密封される。図３に示すように、ヒータ２３のヒータエレメント２６から後方へ導き出されるリード線３１は柄部２の後端に装着した電源コード３２と回路基板３３およびスイッチ３４を介して接続している。
【００１１】
図１において、ヒータホルダ３０の前端の開口部には給水タンク２２の給水筒口２２ａが挿入されるとともに、給水筒口２２ａにＯリング３５を介して抜き差し自在に挿入した吸水体ホルダ３６がパッキン体３７を介して挿入される。吸水体ホルダ３６には耐熱ナイロン等からなる吸水体２４を挿通保持し、この吸水体２４の吸水体ホルダ３６からの露出部はヒータケース２５の前端部に直接に、またはヒータケース２５に被せた別の吸水体３８を介して当接させている。したがって、ヒータエレメント２６の発熱により、ヒータケース２５の表面が加熱されて吸水体２４・３８に伝達され、これら吸水体２４・３８に含まれている水もしくはトリートメントローション等の薬剤を加熱してスチームを発生する。図５において、５４は給水タンク２２の内部に備えたボール体で、給水タンク２２に水あるいはトリートメントローション等を入れたまま、このスチームブラシ全体を立てた姿勢で保管、収納した場合に、吸水体２４側へ水あるいはトリートメントローションが供給され続けてぼた落ちしないようにする為に給水口を塞ぐものである。５５は給水タンク２２の内部に、圧力調整のために備えた弁体である。
【００１２】
吸水体２４・３８から発散するスチームはヒータホルダ３０の内部からブラシベース５のスチーム吐出孔６に向けて吐き出す。そのために、図１および図６に示すように、ブラシ台部３のブラシベース５中央領域に臨む箇所に開口３９を、またヒータホルダ３０の周面の前記開口３９に面する部分に開口４０をそれぞれ設け、これら開口３９・４０にスチームをブラシベース５のスチーム吐出孔６に導いて吐き出すスチームガイド体４１を装着する。
【００１３】
スチームガイド体４１は耐熱性、耐薬品性、剛性に優れるＰＢＴ樹脂（ポリブチレンテレフタレート）等の材料からなり、ブラシ台部３の開口３９の四角形状に対応する断面皿形状に形成され、その上壁４１ａからブラシベース５のスチーム吐出孔６に内嵌するスチーム吐出口４２を上向きに突設し、かつその周面下端からフランジ４３を外向きに張出し形成している。
このスチームガイド体４１は、そのフランジ４３をブラシ台部３の開口３９周縁の内面とヒータホルダ３０の開口４０周縁の上面との間にシリコン製のパッキン４４を介して嵌合させることによりブラシ台部３の外表面から上方突出状に固定される。
【００１４】
図１および図４に示すように、このスチームガイド体４１はブラシベース５の中央を支持する部材に兼用する。すなわちスチームガイド体４１はスチーム吐出口４２を前述したようにブラシベース５のスチーム吐出孔６に内嵌させるとともに、その上壁４１ａのスチーム吐出口４２・４２どうし間でブラシベース５のほぼ中央部内面を受け止め支持することによりブラシベース５が過剰にへこんだり、位置ずれすることのないようにしている。
【００１５】
ブラシベース５のスチームガイド体４１で支持される中央部と周縁部との間の中間部にもへこみが生じることがある。そこで、図４および図７に示すようにブラシベース５の内面の中央部と周縁部との間には多数の突起２０をブラシ台部３の外表面に向けて一体に突設し、この突起２０によりブラシベース５がブラッシング時に押圧力によりへこむ場合もその突起２０の先端がブラシ台部３の外表面に当たって座屈し、押圧力の解除に伴ってその弾性復元力でブラシベース５が元の空間Ｓを形成する膨らみ状態に確実に戻るようにしている。
【００１６】
ブラシベース５のスチーム吐出孔６を有する中央部分はスチームガイド体４１上に単に載せて支持してあるだけでは、ブラッシング時にそのブラシベース５の中央部分のブリッスル４が頭髪によって傾き、この傾きに伴いそのブラシベース５の中央部分がスチームガイド体４１から浮き上がったり、スチーム吐出孔６がスチーム吐出口４２の周壁でめくれ上がり、拡開変形を加えられたりする。この結果髪を十分に解くことができなかったり、ブラシベース５のスチーム吐出孔６の周縁が破れたり、スチーム吐出口４２からのスチームがスチーム吐出口４２の周壁とスチーム吐出孔６の内周との間の隙間から空間Ｓ内に侵入したりする。
【００１７】
そこで、図１に示すように、ブラシベース５の内面のスチーム吐出孔６・６間の中央から径大部４６を有する係止突起４７を一体に垂設し、この係止突起４７をスチームガイド体４１のスチーム吐出口４２・４２間の中央に設けた孔４８に径大部４６を介して抜け止め状に圧入させる。この場合、予め係止突起４７の径大部４６より下方に径小軸部４９（図１に二点鎖線で示す）を設けておけば、前述のようにこの係止突起４７をスチームガイド体４１の孔４８に通すときに先ずその径小軸部４９の下端を孔４８にこれの上方から通してスチームガイド体４１の内面下方へ突出させ、しかるのち該径小軸部４９の吐出口下端を摘んで係止突起４７を下方に強く引っ張ることにより径大部４６が孔４８内に圧縮変形しながら容易に通される。なお、係止突起４７の圧入後は前記径小軸部４９を径大部４６の下端から切断除去する。
【００１８】
このようにブラシベース５の中央部分が係止突起４７を介してスチームガイド体４１に結合されていると、ブラッシング時にそのブラシベース５の中央部分のブリッスル４が頭髪によって傾く場合もブラシベース５の中央部分がスチームガイド体４１から浮き上がるのを確実に防止できる。また、ブラシベース５に一体に設けられた係止突起４７は自在に弾性変形するので、ブラシベース５のクッション性が損なわれるようなこともない。
【００１９】
実際の組立てに際しては、先ずブラシベース５をブラシ押え部材１２に装着する一方、スチームガイド体４１をそのフランジ４３がブラシ台部３の開口３９周縁の内面に当接するよう開口３９に嵌合させる。次いでブラシベース５をブラシ押え部材１２共に、ブラシ台部３の外表面上に被せ、係止突起４７をスチームガイド体４１の孔４８に圧入する。これによりブラシベース５がブラシ押え部材１２共に、ブラシ台部３の外表面上に仮止めされる状態が得られる。このため、その後におけるブラシ台部３に対するブラシ押え部材１２の本締め固定が行い易くなる。
上記実施例では、ブラシベース５に係止突起４７を１本だけ設けてあるが、図８の（Ａ）、（Ｂ）、（Ｃ）に例示するようにその係止突起４７は複数本設けてスチームガイド体４１に結合することもできる。
なお、本発明は本体ケース１の内部にブラシベース５部分から温風あるいは冷風を選択的に供給する送風装置を備えたタイプのスチームブラシであってもよい。
【００２０】
【発明の効果】
以上説明したように本発明によれば、ブラシベース５を弾性材料で構成したうえでこれをブラシ台部３の外表面上に空間Ｓをおいて張設してあるので、ブラッシング時にブリッスル４は頭髪から受ける外力でもって傾くとき、これに伴いブラシベース５も弾性変形し、クッション性に優れるので、髪をいたわりながらスムーズにブラッシングすることができる。
また、スチームはブラシ台部３およびブラシベース５とは別体のスチームガイド体４１内を通すので、ブラシ台部３やブラシベース５のスチームによる熱劣化や吸水、吸湿劣化を防ぐことができて耐久性を向上できる。更にスチームガイド体４１を兼用してブラシベース５のほぼ中央部内面を支持するので、簡単な支持構造でもって弾性を有するブラシベース５の過剰なへこみや位置ずれをよく防止することができる。
更に、ブラシベース５のほぼ中央部分に係止突起４７を一体に垂設し、この係止突起４７をスチームガイド体４１の孔４８に抜け止め状に挿入結合してあるので、ブラシベース５のクッション性を損なうことなく、スチームガイド体４１からの浮き上がりを防止できて当該箇所においても髪解き作用を好適に行うことができる。
【図面の簡単な説明】
【図１】要部の縦断側面図である。
【図２】全体の平面図である。
【図３】図２におけるＡ−Ａ線断面図である。
【図４】図３におけるＢ−Ｂ線断面図である。
【図５】図３におけるＣ−Ｃ線断面図である。
【図６】主要部の分解斜視図である。
【図７】ブラシベースの内部平面図である。
【図８】他の実施例を示すブラシベースの内部平面図である。
【符号の説明】
１  本体ケース
２  柄部
３  ブラシ台部
４  ブリッスル
５  ブラシベース
６  スチーム吐出孔
２１  スチーム発生装置
４１  スチームガイド体
４２  スチーム吐出口
４７  係止突起
４８  孔
Ｓ  空間
【図１】
0003658417.tif 000002
【図２】
0003658417.tif 000003
【図３】
0003658417.tif 000004
【図４】
0003658417.tif 000005
【図５】
0003658417.tif 000006
【図６】
0003658417.tif 000007
【図７】
0003658417.tif 000008
【図８】
0003658417.tif 000009